【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】
再生すべきソフト情報と、このソフト情報の再生管理に必要な再生管理情報とが記録された情報記録媒体；
前記ソフト情報を再生するための再生許可情報が記録された管理媒体；
前記ソフト情報を再生する再生手段；
前記再生管理情報を読み取る第１の読取手段；
前記再生許可情報を読み取る第２の読取手段；
この第１，第２の読取手段によって読み取られた前記再生管理情報及び再生許可情報に基づいて、前記再生手段における前記ソフト情報の再生許可・不許可を判断する再生判断手段；
前記再生手段における前記ソフト情報の利用状況をソフト利用情報として検出する利用情報検出手段；
検出された前記ソフト利用情報を、前記管理媒体に書き込む書込手段；
を備えたことを特徴とする再生情報管理システム。
【請求項２】
再生すべきソフト情報の再生管理に必要な再生管理情報及び再生許可情報を読み取り、前記ソフト情報の再生許可・不許可を判断してから前記ソフト情報の再生を実行・不実行し、前記ソフト情報の利用状況をソフト利用情報として検出する再生情報管理システムに用いられる情報記録媒体であって、
前記ソフト情報と前記再生管理情報とが記録されたことを特徴とする情報記録媒体。
【請求項３】
再生すべきソフト情報の再生管理に必要な再生管理情報及び再生許可情報を読み取り、前記ソフト情報の再生許可・不許可を判断してから前記ソフト情報の再生を実行・不実行し、前記ソフト情報の利用状況をソフト利用情報として検出する再生情報管理システムに用いられる管理媒体であって、
前記再生許可情報と前記ソフト利用情報とが記録されたことを特徴とする管理媒体。
【請求項４】
再生すべきソフト情報とこのソフト情報の再生管理に必要な再生管理情報とが記録された情報記録媒体から前記再生管理情報を読み取り、前記ソフト情報を再生するための再生許可情報が記録された管理媒体から前記再生許可情報を読み取り、前記ソフト情報の再生許可・不許可を判断してから前記ソフト情報の再生を実行・不実行し、前記ソフト情報の利用状況をソフト利用情報として検出し、検出された前記ソフト利用情報を前記管理媒体に書き込む再生情報管理システムに用いられる再生装置であって、
前記ソフト情報を再生する再生手段；
前記再生管理情報を読み取る第１の読取手段；
前記再生許可情報を読み取る第２の読取手段；
この第１、第２の読取手段によって読み取られた前記再生管理情報及び再生許可情報に基づいて、前記再生手段における前記ソフト情報の再生許可・不許可を判断する再生判断手段；
前記再生手段における前記ソフト情報の利用状況を前記ソフト利用情報として検出する利用情報検出手段；
検出された前記ソフト利用情報を、前記管理媒体に書き込む書込手段；
を備えたことを特徴とする再生装置。
【請求項５】
再生すべきソフト情報とこのソフト情報の再生管理に必要な再生管理情報とが記録された情報記録媒体から前記再生管理情報を読み取り、前記ソフト情報を再生するための再生許可情報が記録された管理媒体から前記再生許可情報を読み取り、前記ソフト情報の再生許可・不許可を判断してから前記ソフト情報の再生を実行・不実行し、前記ソフト情報の利用状況をソフト利用情報として検出し、検出された前記ソフト利用情報を前記管理媒体に書き込む再生情報管理システムに用いられる再生方法であって、
前記ソフト情報を再生する再生手順；
前記再生管理情報を読み取る第１の読取手順；
前記再生許可情報を読み取る第２の読取手順；
この第１，第２の読取手順によって読み取られた前記再生管理情報及び再生許可情報に基づいて、前記再生手順における前記ソフト情報の再生許可・不許可を判断する再生判断手順；
前記再生手順における前記ソフト情報の利用状況を前記ソフト利用情報として検出する利用情報検出手順；
検出された前記ソフト利用情報を、前記管理媒体に書き込む書込手順；
を備えたことを特徴とする再生方法。
【請求項６】
前記ソフト利用情報は、前記ソフト情報の再生時間情報であることを特徴とする請求項１記載の再生情報管理システム。
【請求項７】
前記ソフト情報が複数に区切られており、前記ソフト利用情報は、再生されたこの区切りの数であることを特徴とする請求項１記載の再生情報管理システム。
【請求項８】
前記ソフト情報に複数の再生判断箇所が設定されており、前記ソフト利用情報は、再生された再生判断箇所の数であることを特徴とする請求項１記載の再生情報管理システム。
【請求項９】
前記ソフト利用情報は、前記ソフト利用情報に基づいて計算された課金情報であることを特徴とする請求項１記載の再生情報管理システム。
【請求項１０】
前記課金情報に基づいて謀金額を表示する表示手段を備えたことを特徴とする請求項９記載の再生情報管理システム。
【手続補正２】
【補正対象書類名】明細書
【補正対象項目名】００１０
【補正方法】変更
【補正の内容】
【００１０】
【課題を解決するための手段】
前記目的を達成するため、この発明は、再生すべきソフト情報(12)と、このソフト情報の再生管理に必要な再生管理情報(14)とが記録された情報記録媒体(10)；前記ソフト情報を再生するための再生許可情報(18)が記録された管理媒体(16)；前記ソフト情報を再生する再生手段(20)；前記再生管理情報を読み取る第１の読取手段（20）；前記再生許可情報を読み取る第２の読取手段(22)；この第１及び第２の読取手段によって読み取られた前記再生管理情報及び再生許可情報に基づいて、前記再生手段における前記ソフト情報の再生許可・不許可を判断する再生判断手段(21)；前記再生手段における前記ソフト情報の利用状況をソフト利用情報(19)として検出する利用情報検出手段(23)；検出された前記ソフト利用情報を、前記管理媒体に書き込む書込手段(22)；を備えたことを特徴とする再生情報管理システムである。
【手続補正３】
【補正対象書類名】明細書
【補正対象項目名】００１４
【補正方法】変更
【補正の内容】
【００１４】
また、本発明は、再生すべきソフト情報とこのソフト情報の再生管理に必要な再生管理情報とが記録された情報記録媒体から前記再生管理情報を読み取り、前記ソフト情報を再生するための再生許可情報が記録された管理媒体から前記再生許可情報を読み取り、前記ソフト情報の再生許可・不許可を判断してから前記ソフト情報の再生を実行・不実行し、前記ソフト情報の利用状況をソフト利用情報として検出し、検出された前記ソフト利用情報を前記管理媒体に書き込む再生情報管理システムに用いられる再生装置であって、前記ソフト情報を再生する再生手段；前記再生管理情報を読み取る第１の読取手段；前記再生許可情報を読み取る第２の読取手段；この第１、第２の読取手段によって読み取られた前記再生管理情報及び再生許可情報に基づいて、前記再生手段における前記ソフト情報の再生許可・不許可を判断する再生判断手段；前記再生手段における前記ソフト情報の利用状況を前記ソフト利用情報として検出する利用情報検出手段；検出された前記ソフト利用情報を、前記管理媒体に書き込む書込手段；を備えたことを特徴とする再生装置である。
【手続補正４】
【補正対象書類名】明細書
【補正対象項目名】００１５
【補正方法】変更
【補正の内容】
【００１５】
また、本発明は、再生すべきソフト情報とこのソフト情報の再生管理に必要な再生管理情報とが記録された情報記録媒体から前記再生管理情報を読み取り、前記ソフト情報を再生するための再生許可情報が記録された管理媒体から前記再生許可情報を読み取り、前記ソフト情報の再生許可・不許可を判断してから前記ソフト情報の再生を実行・不実行し、前記ソフト情報の利用状況をソフト利用情報として検出し、検出された前記ソフト利用情報を前記管理媒体に書き込む再生情報管理システムに用いられる再生方法であって、前記ソフト情報を再生する再生手順；前記再生管理情報を読み取る第１の読取手順；前記再生許可情報を読み取る第２の読取手順；この第１，第２の読取手順によって読み取られた前記再生管理情報及び再生許可情報に基づいて、前記再生手順における前記ソフト情報の再生許可・不許可を判断する再生判断手順；前記再生手順における前記ソフト情報の利用状況を前記ソフト利用情報として検出する利用情報検出手順；検出された前記ソフト利用情報を、前記管理媒体に書き込む書込手順；を備えたことを特徴とする再生方法である。